(57)【要約】【課題】クサビ形のドアストッパの形状に工夫をして扉と床の間で確実に固定させるようにし、なおかつ製造コストを上げないために同一素材、単一部品で出来るように単純な構造にする。【解決手段】側面視、クサビ形でゴム状のドアストッパにおいて、その底面に円柱を寝かせ後方を一部欠けさせた回転足６を、突出させることによりこの課題を解決する。【選択図】図１
2007285110.tif 000002
【特許請求の範囲】
【請求項１】
側面視、クサビ形でゴム質のドアストッパにおいて、その底面に円柱を寝かせ後方を一部欠けさせた回転足を、鋭利な前方に向かって徐々に小型化させて複数個突出させたことを特徴とするドアストッパ。
【請求項２】
側面視、クサビ形でゴム質のドアストッパにおいて、その底面に円柱を寝かせ後方を一部欠けさせた回転足を、鋭利な前方と反対側に一つ突出させたことを特徴とするドアストッパ。
【発明の詳細な説明】
【技術分野】
【０００１】  本発明は、ゴム状のクサビ形ドアストッパに関するものであり、ドアストッパの底面の形状に工夫を加えることによって、製造コストを上げずにより確実にスイングドアを固定するようにしたものである。
【技術背景】
【０００２】  従来からスイングドアを固定するドアストッパとして、ゴム状で楔形のもので摩擦を増すために、扉の接する面や底面に突起を設けたり、底面に摩擦の高い素材を設けた実公平０５−０３６９３２号公報、登録実用新案３０３３３５６号公報がある。
【０００３】  乗り上げる扉の圧力を利用してさらにドアストッパ自身の反発力を増すために、扉の接する面の摩擦力を低くした特開平１１−１７２９８６号公報がある。
【０００４】  乗り上げる扉の圧力を利用してさらにドアストッパ自身の反発力を増すために、車輪や玉などの回転する部材を取り付けた特開２００４−２１１４８６号公報、特開２０００−８０８４７号公報がある。
【０００５】
【特許文献１】  実公平０５−０３６９３２
【特許文献２】  登録実用新案３０３３３５６
【特許文献３】  特開平１１−１７２９８６
【特許文献４】  特開２００４−２１１４８６
【特許文献５】  特開２０００−８０８４７
【発明の開示】
【発明が解決しようとする課題】
【０００６】  ゴム状のクサビ形ドアストッパにおいて、製造コストを上げずにより確実にスイングドアを固定できるようにしたドアストッパを考えること。【０００７】  実公平０５−０３６９３２号公報と登録実用新案３０３３３５６号公報は、ゴム状でクサビ形のもので摩擦を増すために、扉の接する面や底面に突起を設けたり、底面に摩擦の高い素材を設けたものであるが、この場合扉に接する面の突起が邪魔して扉が十分にドアストッパの傾斜を滑り上がることができない。結果ドアストッパは底面の突起や摩擦の高い部材が作用するほどの反発力を作れず、扉に押され床面をすべり後退してしまう。【０００８】  特開平１１−１７２９８６号公報は、乗り上げる扉の圧力を利用してさらにドアストッパ自身の反発力を増すために、扉の接する面の摩擦力を低くしたものがあるが、ゴム状のもので扉の接する面の突起をなくした場合、使ってるうちに常に扉があたる箇所に段ができてしまい、結果ドアストッパは底面の突起や摩擦の高い部材が作用するほどの反発力を作れなくなり、扉に押され床面をすべり後退してしまう。また、それを防ぐために硬質な板を設けると扉に傷を付けることになる。そして扉の接する面をスライドさせることでこれらの問題は解決できるが、異なる部品や部材が必要になるのと、製造過程が増えるためコストの上昇が懸念される。【０００９】  特開２００４−２１１４８６号公報と特開２０００−８０８４７号公報は、乗り上げる扉の圧力を利用してさらにドアストッパ自身の反発力を増すために、車輪や玉などの回転する部材を組み合わせたものであるが、異なる部品や部材が必要になるのと、製造過程が増えるためコストの上昇が懸念される。
【課題を解決するための手段】
【００１０】  この課題を解決するためのこの発明は、側面視クサビ形でゴム質のドアストッパにおいて、その底面に円柱を寝かせ後方を一部欠けさせた回転足を、鋭利な前方に向かって徐々に小型化させて複数個突出させた。また側面視、クサビ形でゴム質のドアストッパにおいて、その底面に円柱を寝かせ後方を一部欠けさせた回転足を、鋭利な前方と反対側に一つ突出させた。そうすることで、スイングドアの開放時に自由な位置でドアの下側と床の隙間にこのドアストッパを差し込むと、ドアが閉まろうとしてドアストッパを押し戻そうとする圧力を、クサビ形から車輪の役割をする回転足を介してドアストッパに上下運動を起こさせ、そのせり上がる力を利用してドアの下側と床の間のドアストッパに急激に摩擦抵抗を増大させてドアを停止させることを目的とした器具である。【００１１】  底面の回転足であるが、一つのゴム状素材の塊という条件で円柱を寝かしたものが車輪としての機能するようにするには、図５のようにクサビ形との接合部を極力少なくしなければならない。だが接合部が少ないということは素材がゴム状なのですぐに千切れるなどの破損が予想される。また逆に図６のように接合部を多くすると車輪としての機能が無くなる。そこで円柱の後方を一部欠けた形状にすると円が前方にしなり、車輪が回転するのと同じ効果を作り出す。つまり実際に円柱が回転するわけでなくしなりを利用するため、クサビ形との接合部を多くすることが可能となり、同時に千切れるなどの破損を防ぐことができる。
【発明の効果】
【００１２】  以上に述べたように、本発明はスイングドアが閉まろうとする力を効果的に床面と本発明のドアストッパとの間の摩擦力および反発力に変換することにより、確実にドアを静止できる。また、底面から突出した円柱を寝かしたもの後方を一部欠けさせることにより、円が回転する役割をしなることで実現したので、クサビ形との接合部を多することができ、千切れるなどの破損の恐れも無く、同一素材、単一部品で製造が可能である。
【発明を実施するための最良の形態】
【００１３】  本発明を図面によって説明すると、ドアストッパ１は材質はゴム状素材でクサビ状に形成するとともに、扉が接する面に段々や小突起３を設け扉を受け止めやすいようにし、底面には円柱を寝かしたものの後方を一部欠けさせた回転足６を複数箇所突出させ、床に接する部分に段々や小突起５を設け床との摩擦を高めたものである。また円柱を寝かしたものの後方を一部欠けさせた部分４を作りクサビ形と回転足の接合部７を大きくとったものである。【００１４】  ドアストッパ２は回転足を後方に一つだけ設けたものである。【００１５】  回転足６は円柱に限らず球形でもよい。【００１６】  扉が接する面の段々や小突起３また床に接する部分の段々や小突起５は無くてもよい。
【産業上の利用の可能性】
【００１７】  本発明に係わるドアストッパは、工業的に量産することが可能であるため、産業上の利用の可能性を有する。
【図面の簡単な説明】
【００１８】
【図１】底面に回転足を複数個突出させたドアストッパの右側面図である。
【図２】底面に回転足を複数個突出させたドアストッパの上面図である。
【図３】底面に回転足を複数個突出させたドアストッパの底面図である。
【図４】底面に回転足を１個突出させたドアストッパの右側面図である。
【図５】クサビ形と寝かした円柱の接合部を少なくしたものの右側面図である。
【図６】クサビ形と寝かした円柱の接合部を多くしたものの右側面図である。
【符号の説明】
【００１９】    １      本発明のドアストッパ
２      別実施例のドアストッパ
３      扉が接する面の段々や小突起
４      寝かした円柱の後方を欠けさせた部分
５      床に接する部分の段々や小突起
６      回転足
７      クサビ形と回転足の接合部
【図１】
2007285110.tif 000003
【図２】
2007285110.tif 000004
【図３】
2007285110.tif 000005
【図４】
2007285110.tif 000006
【図５】
2007285110.tif 000007
【図６】
2007285110.tif 000008